【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記事前決定手段の決定結果および前記導出操作手段の操作に応じて表示結果を導出する制御を行う導出制御手段と、
所定状態と該所定状態よりも遊技者に有利な有利状態とを含む複数種類の状態のうちのいずれかに制御する状態制御手段と、
遊技の進行における所定の契機で報知条件を設定し、該報知条件にしたがって前記事前決定手段の決定結果に応じた結果情報を報知するための制御を行う報知制御手段とを備え、
前記状態制御手段は、
前記事前決定手段の決定結果が第１決定結果であるときには、該第１決定結果に対応する第１手順で前記導出操作手段が操作されることで前記有利状態へ制御可能であり、該第１手順以外の手順で操作されることで前記有利状態へ制御せず、
前記事前決定手段の決定結果が第２決定結果であるときには、前記第１手順とは異なる該第２決定結果に対応する第２手順で前記導出操作手段が操作されることで前記有利状態へ制御可能であり、該第２手順以外の手順で操作されることで前記有利状態へ制御せず、
前記事前決定手段の決定結果が前記第１決定結果であるとき、前記第２決定結果であるとき、のいずれであっても、前記第１手順でもなく前記第２手順でもない予め定められた共通手順で前記導出操作手段が操作されたときには、前記有利状態へ制御せず、
さらに前記スロットマシンは、前記報知制御手段により前記事前決定手段の決定結果に応じた結果情報を報知しておらず、かつ、前記共通手順以外の手順で前記導出操作手段が操作されたときには、前記共通手順で操作されたときには行われることのない遊技者にとって不利な不利制御を行うことが可能であり、
前記スロットマシンは、前記共通手順以外の手順で前記導出操作手段が操作されたときにおいて、前記結果情報が報知されているときには所定の警告演出を実行せず、前記結果情報が報知されていないときには前記所定の警告演出を実行可能な演出実行手段を備えることを特徴とする、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンに関する。
【手続補正３】
【補正対象書類名】明細書
【補正対象項目名】００１０
【補正方法】変更
【補正の内容】
【００１０】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記事前決定手段の決定結果および前記導出操作手段の操作に応じて表示結果を導出する制御を行う導出制御手段と、
所定状態と該所定状態よりも遊技者に有利な有利状態とを含む複数種類の状態のうちのいずれかに制御する状態制御手段と、
遊技の進行における所定の契機で報知条件を設定し、該報知条件にしたがって前記事前決定手段の決定結果に応じた結果情報を報知するための制御を行う報知制御手段とを備え、
前記状態制御手段は、
前記事前決定手段の決定結果が第１決定結果であるときには、該第１決定結果に対応する第１手順で前記導出操作手段が操作されることで前記有利状態へ制御可能であり、該第１手順以外の手順で操作されることで前記有利状態へ制御せず、
前記事前決定手段の決定結果が第２決定結果であるときには、前記第１手順とは異なる該第２決定結果に対応する第２手順で前記導出操作手段が操作されることで前記有利状態へ制御可能であり、該第２手順以外の手順で操作されることで前記有利状態へ制御せず、
前記事前決定手段の決定結果が前記第１決定結果であるとき、前記第２決定結果であるとき、のいずれであっても、前記第１手順でもなく前記第２手順でもない予め定められた共通手順で前記導出操作手段が操作されたときには、前記有利状態へ制御せず、
さらに前記スロットマシンは、前記報知制御手段により前記事前決定手段の決定結果に応じた結果情報を報知しておらず、かつ、前記共通手順以外の手順で前記導出操作手段が操作されたときには、前記共通手順で操作されたときには行われることのない遊技者にとって不利な不利制御を行うことが可能であり、
前記スロットマシンは、前記共通手順以外の手順で前記導出操作手段が操作されたときにおいて、前記結果情報が報知されているときには所定の警告演出を実行せず、前記結果情報が報知されていないときには前記所定の警告演出を実行可能な演出実行手段を備える。
なお、以下の構成を備えるものでもよい。
１ゲームに対して賭数を設定することによりゲームが開始可能となるとともに、表示状態を変化させることが可能な可変表示装置に表示結果が導出されることにより１ゲームが終了し、該可変表示装置の表示結果に応じて入賞が発生可能とされたスロットマシン（スロットマシン１）であって、
前記可変表示装置に表示結果が導出される前に、複数種類の入賞について発生を許容するか否かを決定する事前決定手段（内部抽選処理）と、
前記可変表示装置に表示結果を導出させるための操作を受付ける導出操作受付手段（ストップスイッチ８Ｌ〜８Ｒ）と、
前記事前決定手段の決定結果および前記導出操作受付手段が受付けた操作に応じて前記可変表示装置に表示結果を導出させる制御を行なう手段であって、前記事前決定手段の決定結果が、前記複数種類の入賞のうち発生が許容された入賞に有利入賞（昇格リプレイ）を含む複数種類の決定結果（リプＧＲ１、リプＧＲ２）のうちいずれかとなった場合に、当該決定結果の種類に応じて定められた手順であって前記有利入賞を含む複数種類の決定結果のうち他の決定結果の種類に応じて定められた手順と異なる有利手順（リプＧＲ１については中押し、リプＧＲ２については挟み押し）で前記導出操作受付手段により操作が受付けられたときには有利移行表示結果（昇格リプレイの図柄組合せ）を導出させ、当該決定結果の種類に応じて定められた有利手順とは異なる手順で前記導出操作受付手段により操作が受付けられたときには前記有利移行表示結果と異なる表示結果（通常リプレイの図柄組合せ）を導出させる導出制御手段（リール回転処理、図８（ａ）参照）と、
遊技状態を制御する手段であって、通常遊技状態において前記有利移行表示結果と異なる表示結果が導出されることによっては遊技者にとって有利な有利遊技状態（有利ＲＴ）に制御せず、前記通常遊技状態において前記有利移行表示結果が導出されたときに当該通常遊技状態から前記有利遊技状態に制御する遊技状態制御手段（昇格リプレイ入賞したときに有利ＲＴへ制御する処理、図６参照）と、
遊技の進行における所定の契機で報知条件（図１０、図１１、図１７、図１８参照）を設定し、該報知条件にしたがって前記事前決定手段の決定結果に応じた結果情報（ナビ演出）を報知するための制御を行なう報知制御手段（ナビ演出を実行するための処理）とを備え、
前記導出制御手段は、
前記事前決定手段の決定結果が、前記複数種類の入賞のうち発生が許容された入賞に前記有利入賞を含む複数種類の決定結果のうちいずれかとなった場合に、当該決定結果の種類に関わらず予め定められた共通の手順（順押し、逆押し）で前記導出操作受付手段により操作が受付けられたときには前記有利移行表示結果と異なる表示結果を導出させ（図８（ａ）参照）、
前記事前決定手段の決定結果が、前記複数種類の入賞のうち発生が許容された入賞に特定入賞（転落リプレイ、バナナブドウ）を含む複数種類の決定結果（リプＧＲ３、リプＧＲ４、左押しブドウ１など）のうちいずれかとなった場合に、当該決定結果の種類に応じて定められた手順であって前記特定入賞を含む複数種類の決定結果のうち他の決定結果の種類に応じて定められた手順と異なる特定手順（たとえば、リプＧＲ３については順押しまたは挟み押し、リプＧＲ４については中押しまたは逆押し）で前記導出操作受付手段により操作が受付けられたときには特定表示結果（通常リプレイの図柄組合せ）を導出させ、当該決定結果の種類に応じて定められた特定手順とは異なる手順で前記導出操作受付手段により操作が受付けられたときには前記特定表示結果と異なる通常移行表示結果（転落リプレイの図柄組合せ、特殊出目）を導出させ（図８（ａ）、（ｂ）、図５（ｂ）参照）、
前記遊技状態制御手段は、前記有利遊技状態において前記通常移行表示結果が導出されたときに当該有利遊技状態から前記通常遊技状態に制御し（転落リプレイ入賞あるいは特殊出目停止したときに通常遊技状態へ制御する処理、図６参照）、
前記報知制御手段は、前記通常遊技状態において前記結果情報を報知するための制御を行なっていないときにおいて、前記導出操作受付手段により受付けられた操作が、前記共通の手順以外の手順であったときには、前記共通の手順であったときに行なわれることのない遊技者にとって不利な不利制御（図２２、第１ＡＴ抽選や第２ＡＴ抽選を行なわない、ポイント付与を行なわないなど）を行なう。
【手続補正４】
【補正対象書類名】明細書
【補正対象項目名】０３９０
【補正方法】変更
【補正の内容】
【０３９０】
（２−４）  前述した実施の形態によれば、図２０のＳ３３〜Ｓ３５で示したように、同時当選役に当選したときに、実際にボーナス当選しているか否かに応じて異なるナビ可能期間が設定され、図２１のＳ４６で示したように、設定されたナビ可能期間に応じた確率に従ってナビ演出が実行される。これにより、ナビ可能期間においてナビ演出が実行される頻度から、ボーナスに当選している可能性を推測することができ、遊技の興趣を向上させることができる。